(57)【要約】      （修正有）【課題】果実の糖度向上及び病中害に対する耐性を有し、カルシウムを含む無機物成分が果実の生長時に効率的に転移されるようにし、袋が果皮にくっつかないように改善果実袋の製造方法を提供する。【解決手段】原紙にワックスをコーティングしてワックス層を形成する果実袋の製造方法において、ワックスを原紙層２０にコーティングしてワックス層３０を形成したあと、無機物成分のスプレー段階で、マグネシウム、カリウム、リン、カルシウム、チタニアなどの各種天然無機物成分が含有された七宝石、ゼオライト、麦飯石、貝殻のうち、少なくともいずれか一つを選択して０．１μｍ〜１ｍｍの大きさで粉砕した粉末をワックス層上に０．１ｇ／ｍ２〜４ｇ／ｍ２で均一に塗布して無機物成分層４０を形成する。【選択図】図１
2012050433.tif 000002
【特許請求の範囲】
【請求項１】
原紙（２０）にパラフィンワックスとワックスエマルジョンのうちから選択されたいずれか一つのワックスをコーティングしてワックス層（３０）を形成して製造する果実袋の製造方法において、前記原紙（２０）に形成されたワックス層（３０）上に、無機物成分のスプレー段階で、マグネシウム、カリウム、リン、カルシウム、チタニアを含んだ天然無機物成分が含有された七宝石、ゼオライト、麦飯石、貝殻のうち、少なくともいずれか一つを選択して０．１μｍ〜１ｍｍの大きさで粉砕した粉末を０．１ｇ／ｍ２〜４ｇ／ｍ２で均一に塗布して無機物成分層（４０）を形成することを特徴とする、果実袋の製造方法。
【請求項２】
請求項１に記載の果実袋の製造方法によって製造された果実袋。
【発明の詳細な説明】
【技術分野】
【０００１】
本発明は、果実袋の製造方法に係り、特に、果実の糖度向上及び病虫害に対する耐性を有するように、カルシウムを含む無機物成分が果実の生長時に效率的に転移されるようにし、袋が果皮にくっつかないように改善した果実袋の製造方法に関するものである。
【０００２】
本発明はまた、上記の果実袋の製造方法によって製造された果実袋に関するものである。
【背景技術】
【０００３】
果実袋は、防菌及び防虫の効果とともに、遮光性、防水性、透気性を調節して果実の外観まで影響を及ぼし、防菌及び防虫処理が行われた果実袋をかぶせて栽培すると、農薬の散布回数を減らすことができ、果実に農薬が直接つかないので果実の農薬汚染を予防することができ、袋の内部への害虫や菌の浸透を防ぐことができて、以前から使われてきた。
【０００４】
現在、果実袋の製造方法は大きく３つに区分することができ、袋のコーティング及び薬剤処理方法に応じて果実の品質に及ぼす影響が大きくなる。
【０００５】
第一、パラフィンワックスエマルジョンにメタノールを希釈して袋原紙にコーティングしたあとに乾燥するものであって、これは、袋が農薬と雨水によって汚染されるのを最小化するために、紙の性質（柔らかさ）を最大限維持させるコーティング方法である。しかし、耐久性が弱くて集中豪雨時に果実にくっついて袋が破損され、果実に病害虫が発生するという問題が生じることがある。
【０００６】
このような例の一つとして、韓国登録特許第０４６３８４３号（２００４．１２．１８）に開示されたワックスコーティング方法がある。前記特許では、カキ殻から抽出した液状カルシウム溶液、液状パラフィンワックス、機能向上補助剤及び有機溶媒などの原料を用いて製造された組成物を、果実袋の内紙の内側にコーティングして果実にかぶせるカルシウム含有袋を提供することが開示されている。しかし、この方法も集中豪雨時に袋が果実にくっついて袋が破損される問題点と、これによって病害虫の被害が発生するという問題点がある。
【０００７】
第二、耐久性を補完するために、混合油（植物性乾性油）と少量のフッ素系撥水剤を添加した基材に石油で希釈して乾燥した油性撥水紙を使用するものがある。これは、袋が農薬と雨水によって汚染されるのを最小化させ、通気性が確保され、油成分が有する固有の病害虫治療がなされることによって使用頻度が高まっている。しかし、油処理の強弱が調節されない場合、果実の表面にむら及び壊死現象が発生して、果実の商品性が低下するという問題点がある。
【０００８】
第三、パラフィンワックスを沸騰させて袋原紙にコーティングしたあとに冷却するワックスコーティング方法であって、このような前記ワックスコーティング方法は、袋が農薬と雨水による汚染を最小化する点において有利であり、集中豪雨時に袋が垂れ下がったり、破れたりする問題点は補完されるが、コーティング液が過度な場合、通気性が低下し、袋内の高温多湿によって病虫害が発生するという問題点があった。
【先行技術文献】
【特許文献】
【０００９】
【特許文献１】韓国登録特許第０４６３８４３号（２００４．１２．１８）
【発明の概要】
【発明が解決しようとする課題】
【００１０】
本発明の目的は、上記した従来の果実袋の製造方法による問題点を解決するためのもので、果実袋にワックスをコーティングした後、その表面にマグネシウム、リン、カルシウム、カリウム、チタニアなどの無機物成分を含有する鉱物質を均一に分散させて、果実の生長時に鉱物質に含有された無機物成分が效率的に転移され得るようにした機能性果実袋を提供するものである。
【課題を解決するための手段】
【００１１】
上記の目的を達成するために本発明によって、原紙にワックスをコーティングしてワックス層を形成する果実袋の製造方法において、ワックスを原紙層にコーティングしてワックス層を形成したあと、無機物成分のスプレー段階で、マグネシウム、カリウム、リン、カルシウム、チタニアなどを含んだ天然無機物成分が含有された七宝石、ゼオライト、麦飯石、貝殻のうち、少なくともいずれか一つを選択して０．１μｍ〜１ｍｍの大きさで粉砕した粉末をワックス層上に０．１ｇ／ｍ２〜４ｇ／ｍ２で均一に塗布して、生長中に果実に転移される無機物成分層を形成することを特徴とする果実袋の製造方法が提供される。
【００１２】
前記無機物成分の粉末としては、七宝石と貝殻類を体積割合で６０〜８０％、麦飯石とゼオライトを２０〜４０％混合して、０．１μｍ〜１ｍｍの大きさで粉砕したものを使用することができる。
【発明の効果】
【００１３】
本発明によって、果実栽培用果実袋の原紙にワックスエマルジョンでコーティング処理したあと、その表面にマグネシウム、カルシウム、カリウム、リン、チタニアなどの無機物成分を含有した鉱物質粉末を均一に塗布し安定化させた果実袋は、処理面に塗布された無機物成分が雨や水分によって溶けて果実に転移されて果実の商品性が向上され、ワックス層の表面に粉末状態で塗布された無機物成分層が果実の表面に接触されて通気性が良好になり、従来の果実袋において通気性が低下され、袋内の高温多湿によって病虫害が発生されるという問題点と、果実の表面に壊死現象が発生するという問題点とも解決される効果がある。
【図面の簡単な説明】
【００１４】
【図１】本発明による栽培用果実袋の製造方法を示す概略的な構成図である。
【図２】本発明による栽培用果実袋にワックス（パラフィンワックス、オイルエマルジョン、パラフィンワックスエマルジョン）処理後にマグネシウム、リン、カルシウム、カリウム、チタニアなどの無機物成分を塗布して処理した果実袋の概略的な断面図である。
【発明を実施するための形態】
【００１５】
以下では、本発明の第１の実施例を図示した添付の図面を参考にして、本発明をより詳細に説明する。
【００１６】
図１に示された本発明の果実袋の製造方法を実施するための製造装置において、ロール状態で供給される原紙１は、まずワックスコーティング段階で、支持ローラ２とワックスコーティングローラ３を通りながらワックスが原紙１にコーティングされる。次に、無機物成分のスプレー段階で、無機物成分の投入口６から供給される粉末状の無機物成分を、スプレー機４から原紙層２０にコーティングされたワックス層３０上に均一に噴射して無機物成分層４０が形成される。このとき、スプレー機４の下側に集塵機５が具備されて、噴射された無機物成分のうち塗布されないものを集塵して除去する。その次に、原紙層２０にコーティングされたワックス層３０及びスプレーによって形成された無機物成分層４０を安定化させるための安定化段階で、ワックスコーティングされ、無機物成分層が形成された原紙は、スチームローラ７、８と冷却ロール９、１０を順に通過して、本発明による果実袋が、図２に示すように、原紙層２０上に順にワックス層３０及び無機物成分層４０が形成されて製造される。
【００１７】
前記ワックス層３０の形成に使用するワックスは、一般的にパラフィンワックス、ワックスエマルジョンとして市販されるものを使用する。
【００１８】
前記無機物成分のスプレー段階で噴射される無機物成分は、例えば、マグネシウム、カリウム、リン、カルシウム、チタニアなどの各種天然無機物成分が含有された七宝石、ゼオライト、麦飯石、貝殻などの材料を少なくとも一つを選択して０．１μｍ〜１ｍｍの大きさで粉砕したものを使用する。七宝石と貝殻類を体積割合で６０〜８０％、麦飯石とゼオライトを２０〜４０％混合して使用することが好ましい。
【００１９】
また、無機物成分のスプレー段階で、無機物成分は原紙のワックス層上に０．１ｇ／ｍ２〜４ｇ／ｍ２で均一に噴射して塗布することが好ましい。
【００２０】
本発明による果実袋の製造方法と、従来技術において原紙にワックス（パラフィンワックス、オイルエマルジョン、パラフィンワックスエマルジョン）コーティングなどに農薬、抗菌性または防虫性物質を混合したり、水溶性カルシウムを混合して、紙にコーティング処理して生産する従来の果実袋との差異点は、無機物成分をワックスに混合してコーティングする代わりに果実袋用原紙にコーティングされたワックス層上に無機物を所定の大きさで粉砕した粉末状態で均一に塗布することにより、従来のワックスに無機物が均一に混合されないことによる問題点及び困難さを解決し、また、無機物成分が果実の表面に接触されるようにして、果実の生長中にカルシウムとその他の無機物が果実に転移される効率が改善されるという点にある。
【００２１】
本発明によって製造された農業用果実袋を使用した結果、無機物成分が果実にどの程度転移されるかに対する試験を、下記のように実施した。
【実施例】
【００２２】
〔実施例１〕
本発明によって栽培用果実袋に既存のワックスをコーティングしたあと、七宝石を０．１μｍ〜１ｍｍの大きさで粉砕した粉末を１ｇ／ｍ２でワックス層の表面にスプレーして、果実袋を製造してリンゴの栽培に適用した。
【００２３】
また、比較例１は、通常果実の栽培に使用される果実袋のうち、ワックスコーティング処理したリンゴ袋を使用したものであり、比較例２は、農薬で分類され、Ｃａ＋＋水和剤として知られたＫｒａｆｎｏｎを使用したリンゴ袋を使用した。Ｋｒａｆｎｏｎは、超微粒子の炭酸カルシウムが９５％、界面活性剤が５％で構成されているもので知られている。
【００２４】
袋の使用時期は、リンゴに１１０日をかぶせて栽培し、そのうち１０個のリンゴから果皮を分離したあと、果皮に付着された果肉を最大限除去したあとに１０５±５℃のドライオーブン（ｄｒｙ  ｏｖｅｎ）で３６時間乾燥させた。
【００２５】
乾燥させた果皮３ｇをるつぼに定量したあと、６００℃の灰化炉で６時間処理して残った重さを測定して灰分を定量した（ＫＳ  Ｍ  ７０２２）。
【００２６】
果皮の無機元素の分析は、慶北大学校内の基礎科学研究院大邱センターにあるＸ−線蛍光分光器（Ｘ−ｒａｙ  Ｆｌｕｏｒｅｓｃｅｎｃｅ  ｓｐｅｃｔｒｏｍｅｔｅｒ，ＰＷ２４００，ＰＨＩＬＩＰＳ）を用いて回収された果皮灰分の無機元素の含量を測定して、その平均値を下記の表１に表示した。
【００２７】
【表１】
2012050433.tif 000003
【００２８】
上記の表１で、リンゴの果皮の灰分、無機元素及び無機酸化物の含量を測定した結果、灰分の含量は、七宝石処理の場合において比較例１及び比較例２よりも０．１％以上増加したことが分かる。
【００２９】
無機元素の含量では、七宝石粉末を果実袋の製造時にワックス層上に塗布した果実袋を使用した場合、無機元素の含量が全般的に増加されることから、本発明によって七宝石粉末を処理した果実袋の使用で、果実袋に塗布された七宝石粉末から無機物成分がリンゴ袋に接触されたリンゴへ転移されたことを推定することができ、特にカルシウムの転移が著しかった。
【００３０】
これによって、特に人間において主に骨を構成するカルシウムのリンゴ袋からリンゴへの転移効率が向上され、リンゴ袋の機能性が改善されることを確認することができる。
【産業上の利用可能性】
【００３１】
本発明は、従来の果実袋は、袋が農薬と雨水によって汚染されるのを最小化させるためにコーティングする方法であって、コーティングを行う場合、集中豪雨時に袋が垂れ下がったり、または破れるという問題点は補完されるが、コーティング液を多くつける場合は通気性が低下し、袋内の高温多湿によって病虫害及び商品性が低下するという問題点を改善することができ、また、果実に無機元素、特にカルシウムの転移が従来の果実袋に比べて優れるので高品質の果実生産に適している。
【符号の説明】
【００３２】
１    原紙
２    支持ローラ
２０    原紙層
３０    ワックス層
４０    無機物成分層
【図１】
2012050433.tif 000004
【図２】
2012050433.tif 000005